(57)【特許請求の範囲】
【請求項１】
電源用の蓄電池を内蔵し、前記蓄電池に接続された本体端子部を配設した掃除機本体と、前記掃除機本体に取り付けるホース、延長管および吸込具と、内部に充電用回路を有する充電台を備え、前記充電台は、前記掃除機本体を載置する載置部と前記本体端子部に係合する前記充電用回路の充電端子部と、延長管に設けた延長管ストッパーと嵌合する嵌合部を形成した突出部を有し、前記掃除機本体と延長管とは前記突出部の両側に載置されるとともに、前記突出部の先端を前記掃除機本体に設けたホースの差込口と略同一の高さに構成し、充電台把手を前記突出部の先端に設けた電気掃除機及び充電台。
【請求項２】
電源用の蓄電池を内蔵し、前記蓄電池に接続された本体端子部を配設し、持ち運びのための本体把手を有した掃除機本体と、前記掃除機本体に取り付けるホース、延長管および吸込具と、内部に充電用回路を有する充電台を備え、前記充電台は、前記掃除機本体を載置する載置部と前記本体端子部に係合する前記充電用回路の充電端子部と、延長管に設けた延長管ストッパーと嵌合する嵌合部を形成した突出部を有し、前記突出部の側面に抑えリブを設け、掃除機本体を充電台に載置すると、前記抑えリブにて掃除機本体を固定させる構成とし、前記本体把手を持つことにより前記充電台も同時に持ち運び可能とした電気掃除機及び充電台。
【請求項３】
充電台の突出部外周に窪み部を設け、前記窪み部に電源コードを巻き付ける構成とした請求項１又は２記載の電気掃除機及び充電台。
【請求項４】
充電台の突出部側面に凹部を設け、前記凹部に電源コードを収納する構成とした請求項１又は２記載の電気掃除機及び充電台。
【請求項５】
充電台の突出部の側面又は両側面に嵌合部を設け、前記嵌合部に延長管ストッパーを嵌合させて延長管を充電台にセットさせる構成とした請求項１又は２記載の電気掃除機及び充電台。
【請求項６】
充電台の突出部頂上面に嵌合凹部を設け、前記嵌合凹部に延長管ストッパーを嵌合させて延長管を充電台にセットする構成とした請求項１又は２記載の電気掃除機及び充電台。
【請求項７】
充電台の突出部側面又は両側面に隙間吸込具を取り付ける略Ｌ字状リブを少なくとも１つ設ける構成とした請求項１〜６のいずれか１項に記載の電気掃除機及び充電台。
【請求項８】
充電台の突出部頂上面に充電表示ＬＥＤを設ける構成とした請求項１〜７のいずれか１項に記載の電気掃除機及び充電台。
【発明の詳細な説明】
【０００１】
【発明の属する技術分野】
本発明は、一般家庭用電気掃除機及び充電台に関するものである。
【０００２】
【従来の技術】
従来のこの種の電気掃除機及び充電台は、図１６に示すように、掃除機本体（以下本体と記す）１０１を充電台１０２の載置部１０３に突出部１０４に沿って載置し、本体１０１に設けられた本体端子部１０５と充電台１０２に設けられた充電端子部１０６とを電気的に結合し、充電を行っていた。
【０００３】
【発明が解決しようとする課題】
しかしながら、前記従来の構成では、充電台１０２は電気掃除機を載置する事のみを目的としていたため、構成は簡素であるが、充電台１０２に本体１０１や電気掃除機のホース、延長管及び吸込具をセットされた状態で持ち運んだり、電源コードを収納したり、本体１０１やホース、延長管及び吸込具等を充電台１０２に取り付けたり、充電の状況を遠くから判断したりするような実際の使用にあたっての利便性に関しては不十分な点が多々あった。
【０００４】
本発明は前記従来の課題を解決するもので、使用上の不便な点を改善し、利便性の良い電気掃除機及び充電台を提供することを目的とする。
【０００５】
【課題を解決するための手段】
前記従来の課題を解決するために本発明は、電源用の蓄電池を内蔵し、前記蓄電池に接続された本体端子部を配設した掃除機本体と、前記掃除機本体に取り付けるホース、延長管および吸込具と、内部に充電用回路を有する充電台を備え、前記充電台は、前記掃除機本体を載置する載置部と、前記本体端子部に係合する前記充電用回路の充電端子部と、延長管に設けた延長管ストッパーと嵌合する嵌合部を形成した突出部を有し、前記掃除機本体と延長管とは前記突出部の両側に載置されるとともに、前記突出部の先端を前記掃除機本体に設けたホースの差込口と略同一の高さに構成し、充電台把手を前記突出部の先端に設けたもので、これによって、充電台に設けられた充電台把手を持つことで、片手で素早く簡単に本体、吸込具、ホース、延長管がセットされた充電台を持ち運ぶことができ、利便性の向上を図ることができる。
【０００６】
【発明の実施の形態】
請求項１記載の発明は、電源用の蓄電池を内蔵し、前記蓄電池に接続された本体端子部を配設した掃除機本体と、前記掃除機本体に取り付けるホース、延長管および吸込具と、内部に充電用回路を有する充電台を備え、前記充電台は、前記掃除機本体を載置する載置部と、前記本体端子部に係合する前記充電用回路の充電端子部と、延長管に設けた延長管ストッパーと嵌合する嵌合部を形成した突出部を有し、前記掃除機本体と延長管とは前記突出部の両側に載置されるとともに、前記突出部の先端を前記掃除機本体に設けたホースの差込口と略同一の高さに構成し、充電台把手を前記突出部の先端に設けたもので、これによって、充電台に設けられた充電台把手を持つことで、片手で素早く簡単に本体、吸込具、ホース、延長管がセットされた充電台を持ち運ぶことができ、利便性の向上を図ることができる。
【０００７】
請求項２記載の発明は、電源用の蓄電池を内蔵し、前記蓄電池に接続された本体端子部を配設し、持ち運びのための本体把手を有した掃除機本体と、前記掃除機本体に取り付けるホース、延長管および吸込具と、内部に充電用回路を有する充電台を備え、前記充電台は、前記掃除機本体を載置する載置部と前記本体端子部に係合する前記充電用回路の充電端子部と、延長管に設けた延長管ストッパーと嵌合する嵌合部を形成した突出部を有し、前記突出部の側面に抑えリブを設け、掃除機本体を充電台に載置すると、前記抑えリブが掃除機本体を固定させる構成とし、前記本体把手を持つことにより前記充電台も同時に持ち運び可能としたもので、吸込具、ホース、延長管、本体がセットされた充電台を、本体に設けられた本体把手を持ち上げても、本体が充電台から伸び設けられた抑えリブで固定されているため、充電台が本体から外れ落ちず、片手で素早く簡単に吸込具、ホース、延長管、本体がセットされた充電台を持ち運ぶことができる。
【０００８】
請求項３記載の発明は、特に、請求項１または２に記載の充電台の突出部外周に窪み部を設け、前記窪み部に電源コードを巻き付けさせたことにより、充電台を持ち運ぶ際、電源コードを足で踏んだりすることなく簡単に運ぶことができる。
【０００９】
請求項４記載の発明は、特に、請求項１または２に記載の充電台の突出部側面に凹部を設け、前記凹部に電源コードを収納させたことにより、充電台を持ち運ぶ際、電源コードを足で踏んだりすることなく簡単に運ぶことができる。
【００１０】
請求項５記載の発明は、特に、請求項１または２に記載の充電台の突出部の側面又両側面に嵌合部を設け、前記嵌合部に延長管ストッパーを嵌合させて延長管を充電台にセットさせたことにより、１方向だけではなく、２又は３方向に延長管を充電台にセットできるため、素早く、いろいろな方向から簡単にセットできる。
【００１１】
請求項６記載の発明は、特に、請求項１または２に記載の充電台の突出部頂上面に嵌合凹部を設け、前記嵌合凹部に延長管ストッパーを嵌合させて延長管を充電台にセットさせたことにより、１方向だけではなく、３６０度方向に延長管を充電台にセットできるため、より素早く、いろいろな方向から簡単にセットできる。
【００１２】
請求項７記載の発明は、特に、請求項１〜６のいずれか１項に記載の充電台の突出部側面または両側面に隙間吸込具を取り付ける略Ｌ字状リブを設けたことにより、腰を曲げることなく、簡単に素早く隙間吸込具を充電台から取り外し、延長管またはホースに接続できる。
【００１３】
請求項８記載の発明は、特に、請求項１〜７のいずれか１項に記載の充電台の突出部頂上面に充電表示ＬＥＤを設けたことにより、充電台にセットされた本体に隠れることなく、充電中か充電終了かが遠くからでも容易に見ることができる。
【００１４】
【実施例】
以下本発明の実施例について、図１〜１５を参照しながら説明する。
【００１５】
（実施例１）
図１は、本発明の第１の実施例における電気掃除機及び充電台の側面図、図２は本発明に関わる充電台の斜視図である。図１に示すように、本実施例の電気掃除機及び充電台は、掃除機本体（以下本体と記す）１と、本体１に取り付けたホース２に連通する延長管３と、この延長管３に取り付け延長管３と連通する吸込具４と、充電台５とより構成されている。そして、本体１の前方にはホース２の差込口６を、前方上部に本体把手７をそれぞれ設け、後方には本体１に内蔵する蓄電池８につながる本体端子部９を設けている。また、充電台５には本体１の後面の形状に合わせて上面を構成し、本体１後面に接して安定に本体１を載置する載置部１０と、本体１と充電台５に取り付けるために連通したホース２、延長管３及び吸込具４とを隔てる突出部１１と、内蔵した充電用回路１２より構成している。そして、載置部１０には充電用回路１２とつながる充電端子部１３が設けられ、突出部１１には延長管３の外周に設けた延長管ストッパー１４と嵌合する嵌合部１５と、その上部に充電台把手１６とを設けている。また、充電台５の外周に吸込具保持部１７を形成し、吸込具保持部１７には吸込具４を傾斜状態で保持するため吸込具４が当接する平面部１８を設けている。
【００１６】
この構成で、充電台５に本体１を載置させ、充電台５に設けられた充電端子部１３に本体１の本体端子部９を装着させ充電をおこない、延長管３の外周に設けた延長管ストッパー１４を嵌合部１５に嵌合させ、吸込具４を吸込具保持部１７で保持して充電台にセットしていた。そして、このセットした状態で充電台５に設けた充電台把手１６を持つことで、充電台５の載置部１０に載せられた本体１、充電台５の吸込具保持部１７に保持された吸込具４、及び延長管ストッパー１４が充電台５の突出部１１に設けられた嵌合部１５に嵌合することにより保持された延長管３５をセットした充電台５を、片手で素早く簡単に持ち運ぶことができる。
【００１７】
（実施例２）
図３は本発明の第２の実施例における電気掃除機及び充電台の側面図、図４は本発明に関わる充電台の斜視図である。なお、実施例１と同一構成部品については、同一符号を付してその説明を省略する。図３、図４において、充電台５の突出部１１の側面に、充電台５に載置された状態の本体１を抑える抑えリブ１９を設けている。この構成による作用は以下の通りである。
【００１８】
本体１が充電台５にセットされた状態で、本体１に設けられた本体把手７を持ち上げることで、充電台５の突出部１１から本体１側に伸びて設けられている抑えリブ１９が本体１を固定するため、本体１から充電台５が外れ落ちず、ホース２、延長管３、吸込具４、および本体１がセットされた充電台５を片手で素早く簡単に持ち運ぶことができる。
【００１９】
（実施例３）
図５は本発明の第３の実施例における充電台の斜視図を示すものである。なお、前記実施例と同一構成部品については、同一符号を付してその説明を省略する。図５において、充電台５の突出部１１外周に窪み部２０を設けている。この構成による作用は以下の通りである。
【００２０】
窪み部２０に電源コード２１を巻き付けさせたことにより、充電台５を持ち運ぶ際、電源コード２１を足で踏んだりすることなく、簡単に運ぶことができる。
【００２１】
（実施例４）
図６は本発明の第４の実施例を充電台の要部側面図である。なお、前記実施例と同一構成部品については、同一符号を付してその説明を省略する。図６において、充電台５の突出部１１の側面に電源コード２１を収納する凹部２２を設ける構成としている。この構成による作用は以下の通りである。
【００２２】
凹部２２に電源コード２１を挿入することにより、充電台５を持ち運ぶ際、電源コード２１を足で踏んだりすることなく、簡単に運ぶことができる。
【００２３】
（実施例５）
図７は本発明の第５の実施例における充電台の斜視図、図８は同電気掃除機及び充電台の側面図である。なお、前記実施例と同一構成部品については、同一符号を付してその説明を省略する。図７において、充電台５の突出部１１の側面又は両側面に延長管ストッパー１４と嵌合する嵌合部２３を設けている。この構成による作用は以下の通りである。
【００２４】
１方向だけではなく、２又は３方向に延長管を充電台５にセットできるため、素早く、いろいろな方向から簡単にセットできる。
【００２５】
（実施例６）
図９は第６の実施例における充電台の斜視図である。なお、前記実施例と同一構成部品には同一符号を付し、その説明は省略する。図において、充電台５の突出部１１頂上に延長管ストッパー１４に嵌合する嵌合凹部２４を設けている。この構成による作用は以下の通りである。
【００２６】
充電台５の突出部１１に設けている嵌合凹部２４に延長管ストッパー１４を嵌合させ、延長管３を充電台５にセットすることにより、１方向だけではなく、３６０度方向に延長管３を充電台５にセットできるため、より素早く、より簡単に、いろいろな方向から延長管３を充電台５にセットできる。
【００２７】
（実施例７）
図１０は本発明の第７の実施例における充電台の正面図である、なお、前記実施例と同一構成部品には同一符号を付し、その説明は省略する。図において、充電台５の突出部１１の側面上部に隙間吸込具２５を取り付ける略Ｌ字状リブ２６を１つ又は複数設けている。この構成による作用は以下の通りである。
【００２８】
突出部１１側面上部に隙間吸込具２５を取り付ける略Ｌ字状リブ２６を設けたことにより、腰を曲げることなく、簡単に素早く隙間吸込具２５を充電台５から取り外し、延長管３またはホース２に接続して掃除を行うことができる。
【００２９】
（実施例８）
図１１は本発明の第８の実施例における電気掃除機及び充電台の斜視図を示すものである。なお、従来例、前記実施例と同一構成部品には同一符号を付し、その説明は省略する。図において、充電台５の突出部１１頂上面に充電表示ＬＥＤ２７を設けている。この構成による作用は以下の通りである。
【００３０】
充電台５の突出部１１頂上面に充電表示ＬＥＤ２７を位置させたことにより、充電台５にセットされている本体１に隠れることなく、充電中か充電終了かが遠くからでも容易に判別することができる。
【００３１】
（実施例９）
図１２は本発明の第９の実施例における電気掃除機及び充電台の側面図、図１３は同電気掃除機及び充電台の要部断面図である。なお、前記実施例と同一構成部品には同一符号を付し、その説明は省略する。図において、両側面に軸２８を配設した突出体２９を設け、この軸２８に嵌る軸受け部３０を有し、突出体２９を嵌め込み、９０度突出部を傾斜回動させる嵌め込み部Ａ３１を充電台５上部に設けている。この構成による作用は以下の通りである。
【００３２】
充電台５に９０度方向に傾斜回動する突出体２９を設けたことにより、図１２（ａ）に示すように、軸２８を回転中心として突出体２９を９０度前方側に倒した状態にすることができるため、本体１を突出体２９に当たることなく簡単に素早く充電台５に載置し、その後、図１２（ｂ）に示すように、突出体２９を元に戻す事により、簡単に素早く本体１を充電台５にセットすることができる。また、同様にして、突出体２９に当たることなく簡単に素早く本体１を充電台５から外すことができる。
【００３３】
（実施例１０）
図１４は本発明の第１０の実施例における電気掃除機及び充電台の側面図、図１５は電気掃除機及び充電台の要部断面図である。なお、前記実施例と同一構成部品には同一符号を付し、その説明は省略する。図において、突出体２９嵌め込み、１８０度傾斜回動させる嵌め込み部Ｂ３２を充電台５の上部に設けている。前記構成による作用は以下の通りである。
【００３４】
充電台５側に、突出体２９を９０度倒すことで、充電台５がコンパクト化され、持ち運び易く、また収納し易くなる。
【００３５】
【発明の効果】
以上のように、使用上の不便な点を改善し、利便性の良い電気掃除機及び充電台にすることができる。
【図面の簡単な説明】
【図１】  本発明の第１の実施例における電気掃除機及び充電台の要部側面図
【図２】  同充電台の斜視図
【図３】  本発明の第２の実施例における電気掃除機及び充電台の要部側面図
【図４】  同充電台の斜視図
【図５】  本発明の第３の実施例における充電台の斜視図
【図６】  本発明の第４の実施例における充電台の要部側面図
【図７】  本発明の第５の実施例における充電台の斜視図
【図８】  同電気掃除機及び充電台の要部側面図
【図９】  本発明の第６の実施例における充電台の斜視図
【図１０】  本発明の第７の実施例における充電台の正面図
【図１１】  本発明の第８の実施例における電気掃除機及び充電台の斜視図
【図１２】  （ａ）本発明の第９の実施例における電気掃除機及び充電台の側面図
（ｂ）同電気掃除機及び充電台の側面図
【図１３】  同電気掃除機及び充電台の要部断面図
【図１４】  本発明の第１０の実施例における電気掃除機及び充電台の側面図
【図１５】  同実施例における電気掃除機及び充電台の要部断面図
【図１６】  従来の電気掃除機及び充電台の一部断面側面図
【符号の説明】
１  本体（掃除機本体）
２  ホース
３  延長管
４  吸込具
５  充電台
７  本体把手
８  蓄電池
９  本体端子部
１０  載置部
１１  突出部
１２  充電器（充電用回路）
１３  充電端子部
１４  延長管ストッパー
１５  嵌合部
１６  充電台把手
１９  抑えリブ
２０  窪み部
２１  電源コード
２２  凹部
２３  嵌合部
２４  嵌合凹部
２５  隙間吸込具
２６  略Ｌ字状リブ
２７  充電表示ＬＥＤ
２９  突出体
【図１】
0004019715.tif 000002
【図２】
0004019715.tif 000003
【図３】
0004019715.tif 000004
【図４】
0004019715.tif 000005
【図５】
0004019715.tif 000006
【図６】
0004019715.tif 000007
【図７】
0004019715.tif 000008
【図８】
0004019715.tif 000009
【図９】
0004019715.tif 000010
【図１０】
0004019715.tif 000011
【図１１】
0004019715.tif 000012
【図１２】
0004019715.tif 000013
【図１３】
0004019715.tif 000014
【図１４】
0004019715.tif 000015
【図１５】
0004019715.tif 000016
【図１６】
0004019715.tif 000017